(57)【要約】【課題】光ケーブルなどの変形あるいは損傷に起因する通信回線の疎通障害の発生を防止すること。【解決手段】複数の光ケーブル心線を接続する接続部を保持するベース板３１０にカバー１０３を設け、このカバー１０３およびベース板３１０によって、接続部を開放可能な状態で、当該接続部を収納する収納空間７０１を形成するようにした。カバー１０３は、所定方向に沿って伸縮可能であり、伸長した状態において収納空間７０１を形成し、収縮した状態において接続部を外部に開放する。これによって、ベース板３１０とカバー１０３との間に光ケーブル１０１を挟まっても、カバー１０３を収縮させて光ケーブル１０１などを回避することができ、光ケーブル１０１などの変形あるいは損傷を防止することができる。【選択図】図７
2009139689.tif 000002
【特許請求の範囲】
【請求項１】
複数の光ケーブルの心線を接続する接続部を保持する保持部と、
前記保持部に設けられて、前記接続部を開放可能な状態で、前記保持部とともに前記接続部を収納する収納空間を形成するカバー部と、
を備え、
前記カバー部は、少なくとも所定方向に沿って伸縮可能であり、伸長した状態において前記収納空間を形成し、収縮した状態において前記接続部を外部に開放することを特徴とする光ケーブルクロージャー。
【請求項２】
前記カバー部は、蛇腹構造によって伸縮可能であることを特徴とする請求項１に記載の光ケーブルクロージャー。
【請求項３】
前記カバー部は、柔軟部材によって伸縮可能であることを特徴とする請求項１または２に記載の光ケーブルクロージャー。
【請求項４】
前記カバー部は、充填された空気の圧力によって、前記カバー部の形状を一定形状に維持する空気層部を備えたことを特徴とする請求項１〜３のいずれか一つに記載の光ケーブルクロージャー。
【請求項５】
前記空気層部に充填された空気の排出および前記空気層部への空気の充填を可能とする通気口と、
前記通気口を開放自在に閉塞する密閉栓と、
を備えたことを特徴とする請求項４に記載の光ケーブルクロージャー。
【発明の詳細な説明】
【技術分野】
【０００１】
この発明は、たとえば電柱の間などに張架される光ケーブルの接続部を収納する光ケーブルクロージャーに関する。
【背景技術】
【０００２】
光ケーブルクロージャーは、接続部を収納することによって、外部などからの衝撃から接続部を保護する。このように光ケーブルの接続部を収納する従来の技術としては、たとえば接続部を保持する保持部と保持部を覆うカバーとを備え、カバーによって保持部を覆うことによって接続部を保護するようにした技術が存在した。
【０００３】
また、光ケーブルの接続部を収納する従来の技術としては、たとえば光ケーブルの長手方向を軸心方向とする筒状部材の中央部を蛇腹状の伸縮部とし、外部からの衝撃に耐えるために硬質の材料で形成された硬質部を伸縮部の両側に伸縮部と一体に設けて構成した光ファイバー用接続ケースによって光ケーブルの接続部を収納するようにした技術があった（たとえば、下記特許文献１を参照。）。この光ファイバー用接続ケースは、光ケーブルを間にして、断面Ｃ形の二つの接続半体を合わせて密封することによって構成されている。
【０００４】
また、光ケーブルの接続部を収納する従来の技術としては、たとえば可撓性を有する材料で形成された収容管本体によって光ケーブルの接続部を収納するようにした技術があった（たとえば、下記特許文献２を参照。）。この収容管本体は、蛇腹状に形成された略円筒状の内側収容管と外側収容管とを、互いの蛇腹部分における山部と谷部とが噛み合うように重ね合わせることによって構成されている。
【０００５】
また、光ケーブルの接続部を収納する従来の技術としては、たとえば可撓性を有する蛇腹状に形成した筒状のケースとケースの両端部を閉塞するエンドプレートとによって、光ケーブルの接続部を収納するようにした技術があった（たとえば、下記特許文献３を参照。）。特許文献３においては、接続前の光ケーブルをケースおよびエンドプレートに通して、この状態で光ケーブルを接続した後にケースおよびエンドプレート組み合わせて接続部を収納する。
【０００６】
【特許文献１】特開平９−２１１２５２号公報
【特許文献２】特開２００６−９９０５３号公報
【特許文献３】実開平７−１１８４４号公報
【発明の開示】
【発明が解決しようとする課題】
【０００７】
しかしながら、上述した従来の技術では、接続部に対する作業後などに保持部をカバーで覆う際に、保持部とカバー部との間に光ケーブルやケーブル心線（以下、適宜「光ケーブルなど」とする）を挟み込み、挟み込まれた光ケーブルなどが変形したり、損傷したりしてしまうという問題があった。光ケーブルなどの変形や損傷は、通信回線の疎通障害の発生の原因の一つとなる。
【０００８】
また、上述した特許文献１の技術では、光ファイバー用接続ケースを構成する作業が繁雑であるという問題があった。特に、光ファイバー用接続ケースを構成する作業を高所作業車（リフト車）のリフト上などの限られた足場内でおこなう場合は、二つに分かれた接続半体を合わせる作業は、作業者の負担を大きくするという問題があった。さらに、特許文献１の技術では、二つの接続半体の間に光ケーブルなどを挟み込み、通信回線の疎通障害を発生させる原因となるという問題があった。
【０００９】
また、上述した特許文献２の技術では、高所作業車（リフト車）のリフト上などの限られた足場内で、内側収容管と外側収容管とを重ね合わせる作業をおこなうため、作業者の負担を大きくするという問題があった。また、上述した特許文献３の技術では、接続前の光ケーブルを通した状態で光ケーブルを接続し、その後ケースおよびエンドプレートを組み立てるという煩雑な作業をおこなわなくてはならないという問題があった。
【００１０】
この発明は、上述した従来技術による問題点を解消するため、光ケーブルなどの変形あるいは損傷に起因する通信回線の疎通障害の発生を防止するとともに、光ケーブルクロージャーの設置、保全作業における作業者の負荷を軽減することができる光ケーブルクロージャーを提供することを目的とする。
【課題を解決するための手段】
【００１１】
上述した課題を解決し、目的を達成するため、この発明にかかる光ケーブルクロージャーは、複数の光ケーブルの心線を接続する接続部を保持する保持部と、前記保持部に設けられて、前記接続部を開放可能な状態で、前記保持部とともに前記接続部を収納する収納空間を形成するカバー部と、を備え、前記カバー部は、少なくとも所定方向に沿って伸縮可能であり、伸長した状態において前記収納空間を形成し、収縮した状態において前記接続部を外部に開放することを特徴とする。
【００１２】
また、この発明にかかる光ケーブルクロージャーは、上記の発明において、前記カバー部は、蛇腹構造によって伸縮可能であることを特徴とする。
【００１３】
また、この発明にかかる光ケーブルクロージャーは、上記の発明において、前記カバー部は、柔軟部材によって伸縮可能であることを特徴とする。
【００１４】
また、この発明にかかる光ケーブルクロージャーは、上記の発明において、前記カバー部は、充填された空気の圧力によって、前記カバー部の形状を一定形状に維持する空気層部を備えたことを特徴とする。
【００１５】
また、この発明にかかる光ケーブルクロージャーは、上記の発明において、前記空気層部に充填された空気の排出および前記空気層部への空気の充填を可能とする通気口と、前記通気口を開放自在に閉塞する密閉栓と、を備えたことを特徴とする。
【００１６】
この発明によれば、持部とカバー部との間に光ケーブルなどを挟み込むことによる光ケーブルなどの変形や損傷を防止することができる。
【発明の効果】
【００１７】
この発明にかかる光ケーブルクロージャーによれば、保持部とカバー部との間に光ケーブルなどを挟み込むことによる光ケーブルなどの変形や損傷を防止し、光ケーブルなどの変形あるいは損傷に起因する通信回線の疎通障害の発生を防止するとともに、光ケーブルクロージャーあるいは当該光ケーブルクロージャーに収納された各部に対する作業における作業者の負担軽減を図ることができるという効果を奏する。
【発明を実施するための最良の形態】
【００１８】
以下に添付図面を参照して、この発明にかかる光ケーブルクロージャーの好適な実施の形態を詳細に説明する。
【００１９】
（実施の形態１）
図１および図２は、この発明の実施の形態１にかかる光ケーブルクロージャーの外観を示す説明図である。図１は光ケーブルクロージャーを上方から見た状態（上面図）を、図２は光ケーブルクロージャーを側方から見た状態（側面図）をそれぞれ示している。
【００２０】
図１において、光ケーブル１０１の接続部を外部から保護する設備である光ケーブルクロージャー１００は、保持部としてのベース板（図３および図４における符号３１０を参照）、および、カバー部としてのカバー１０３を備えている。また符号１０６は、密閉栓を示している（密閉栓１０６についての詳細な説明は後述する）。
【００２１】
ここで光ケーブル１０１は、複数の光ケーブル心線（光ファイバー心線：図３および４における符号３０４を参照）を、保護用のシース（保護被膜）で被覆することによって構成されている。各光ケーブル心線は、光ファイバーの表面をシリコーン樹脂で被覆した光ファイバー素線を、ナイロン繊維で被覆することによって構成されている（光ケーブル、光ケーブル心線、光ファイバー素線については、公知技術であるため、詳細な説明は省略する）。
【００２２】
また図２において、光ケーブルクロージャー１００は、吊り金具１０４を介して、メッセンジャワイヤー（吊線）１０５に取り付けられている。吊り金具１０４は、ベース板に取り付けられている。メッセンジャワイヤー１０５は、光ケーブル１０１を架空状態で配設する場合に、光ケーブルクロージャー１００をつり下げ支持している。メッセンジャワイヤー１０５は、たとえば電柱と電柱との間に架け渡されている（後述する図９および図１０を参照）。
【００２３】
図３および図４は、光ケーブルクロージャー１００の内部構造を示す説明図であり、光ケーブルクロージャー１００のベース板３１０からカバー１０３を取り外した状態のベース板３１０側の構造を示している。図３は光ケーブルクロージャー１００の内部構造を上方から見た状態（上面図）を、図４は光ケーブルクロージャー１００の内部構造を側方から見た状態（側面図）をそれぞれ示している。
【００２４】
図３および図４において、ベース板３１０には、少なくとも、光ケーブル把持金具３０１、テンションメンバ把持金具３０２、トレイ（通過心線収納部、融着心線収納部）３０３が設けられている。光ケーブル把持金具３０１は、光ケーブル１０１をシースの上から把持する。光ケーブル把持金具３０１は、光ケーブル１０１を把持することにより、光ケーブルクロージャー１００の内部に導入される光ケーブル１０１に対する、光ケーブルクロージャー１００の移動を防止する。
【００２５】
光ケーブル把持金具３０１は、所定の把持力で光ケーブル１０１を把持している。所定の把持力は、たとえば外気温の変化によって光ケーブルクロージャー１００の内部と外部との間に温度差が発生し、光ケーブル１０１が収縮（あるいは伸長）することによって光ケーブル把持金具３０１に張力が加えられた場合にも、光ケーブルクロージャー１００に対する光ケーブル１０１の移動を防止することが可能な程度の力である。
【００２６】
テンションメンバ把持金具３０２は、テンションメンバ３０４を把持して、光ケーブルの位置を固定する。テンションメンバ３０４は、機械的な強度を持たせるために、光ケーブル１０１中に入れた鋼線である。光ケーブル１０１は、光ケーブルクロージャー１００の内部において、シースが取り除かれ、複数の光ケーブル心線３０５とテンションメンバ３０４とに分離された状態となっている。テンションメンバ把持金具３０２は、光ケーブル心線３０５から分離されたテンションメンバ３０４を把持する。
【００２７】
図５は、光ケーブル把持金具３０１を示す説明図である。光ケーブル把持金具３０１は、図５に示したように、金具５０１（５０１ａ、５０１ｂ）によって構成されている。金具５０１は、たとえばベース板３１０に固定された台座５０２などに設けられている。この金具５０１には、互いに対向する位置に固定用の突起部材５０３が設けられている。光ケーブル把持金具３０１は、一対の金具の間に光ケーブル１０１を介在させた状態で金具５０１間の距離を縮めることによって、金具５０１間において各光ケーブル１０１を固定する。このように突起部材５０３を設けることによって、金具５０１間において、光ケーブル１０１と金具５０１との位置ずれを防止することができる。
【００２８】
テンションメンバ把持金具３０２は、所定の把持力でテンションメンバ３０４を把持している。所定の把持力は、たとえば外気温の変化によって光ケーブルクロージャー１００の内部と外部との間に温度差が発生し、テンションメンバ３０４が収縮（あるいは伸長）することによってテンションメンバ把持金具３０２に張力が加えられた場合にも、トレイ３０３に対するテンションメンバ３０４の移動を防止することが可能な程度の力である。
【００２９】
トレイ３０３は、通過心線収納部または融着心線収納部としての役割を果たす。通過心線収納部は、２本の光ケーブル心線３０５を光信号の伝播が可能な状態で接続した接続部を保持する。ここで２本の光ケーブル心線３０５は、たとえば１本の光ケーブル１０１を当該光ケーブル１０１を構成する複数本の光ケーブル心線３０５に分岐する際に接続される。この場合、２本の光ケーブル心線３０５は、分岐した各光ケーブル心線３０５と、当該光ケーブル心線３０５に接続される別の光ケーブル心線３０５とからなる。接続部はトレイ３０３内に収納されている。接続部の図示および説明は省略する。
【００３０】
トレイ３０３は、通過心線収納部としての役割を果たす場合に、各光ケーブル心線３０５が規定半径以下に屈曲せず、各光ケーブル心線３０５にねじれが生じない状態で光ケーブル心線３０５を収納する。またトレイ３０３は、各光ケーブル心線３０５を取り出したり、取り出した光ケーブル心線３０５を再度収納したりすることが可能な構造となっている。トレイ３０３は、たとえば通過心線および未使用心線を、それぞれ一束化して収納する箱型形状を有していてもよい。
【００３１】
トレイ３０３は、具体的には、たとえば運用中の回線に該当する光ケーブル心線３０５など、各光ケーブル心線３０５における光信号の伝播に支障をきたすことなく、各光ケーブル心線３０５の取り出しおよび収納が可能な構造となっている。通過心線収納部としての役割を果たす場合のトレイ３０３の具体的な構造については、公知の各種の技術を用いて実現可能であるため、その説明は省略する。
【００３２】
また、トレイ３０３は、融着心線収納部としての役割を果たす場合には、光ケーブル心線３０５の融着接続部を収納してもよい。この場合も、トレイ３０３は、各光ケーブル心線３０５が規定半径以下に屈曲せず、各光ケーブル心線３０５にねじれが生じない状態で、光ケーブル心線３０５を収納する。トレイ３０３は、融着心線収納部としての役割を果たす場合に、たとえば熱収縮補強スリーブおよび接続に用いる余長分となる光ケーブル（接続心線）１０１を収納することが可能な形状となっている。融着心線収納部の具体的な構造については、公知の各種の技術を用いて実現可能であるため、その説明は省略する。
【００３３】
トレイ３０３は、融着心線収納部としての役割を果たす場合に、所定数分の接続部を収納可能な構造となっている。この場合のトレイ３０３は、具体的には、たとえば８心テープ心線どうし（８心テープ心線−８心テープ心線）を接続するのであれば、１０接続分を収納可能な構造を有している。また、この場合のトレイ３０３は、具体的には、たとえば８心テープ心線−４心テープ心線を接続するのであれば、８心テープ心線で１０本分（４心テープ心線で２０本分）の接続分を収納可能な構造となっている。８心テープ心線は、８本の光ケーブル心線３０５があるテープ型の光ケーブル１０１である。同様な構造を有する光ケーブル１０１として、４心テープ心線、２心テープ心線などがある。
【００３４】
図６は、トレイ３０３の構造の一例を示す説明図であり、トレイ３０３を光ケーブル３０１の長手方向に直交する方向に断面した状態を示している。図６において、トレイ３０３は、ベース板３１０に固定された連結板６０１上に設けられている。トレイ３０３は、連結板６０１上に複数積層した状態で設けられている。各トレイ３０３は、自身の上側に位置するトレイ３０３および下側に位置するトレイ３０３と、蝶番６０２を介して連結されている。
【００３５】
各トレイ３０３は、自身の上側に位置するトレイ３０３および下側に位置するトレイ３０３に対して、相対的に離反する方向に回動可能に設けられている。光ケーブルクロージャーに対する作業に際しては、作業対象となるトレイ３０３より上側に位置するトレイ３０３を、作業対象となるトレイ３０３から離反する方向に回動させる。これにより、作業対象となるトレイ３０３の上面を開放することが可能になる。
【００３６】
連結板６０１には、トレイ支持金具６０３が設けられている。トレイ支持金具６０３は、非使用時は連結板６０１の底面に設けられており、各トレイ３０３が保持する接続部に対する作業に際して使用する。トレイ支持金具６０３は、作業対象となるトレイ３０３を開放する際に、作業対象となるトレイ３０３よりも上側に位置するトレイ３０３を、作業対象となるトレイ３０３から離反する方向に回動した状態で支持する。
【００３７】
また、トレイ支持金具６０３は、作業対象となるトレイ３０３の位置に合わせて、支持するトレイ３０３の高さを調整することが可能である。トレイ支持金具６０３は、具体的には、たとえばトレイ３０３の積層方向に立設された支柱６０３ａと、支柱６０３ａに沿って移動可能なアーム６０３ｂとを備えている。
【００３８】
各トレイ３０３が保持する接続部に対する作業に際しては、まずトレイ支持金具６０３を連結板６０１の底面から引き出す。つぎに支柱６０３ａに沿ってアーム６０３ｂを移動させ、作業対象となるトレイ３０３に合わせた位置にアーム６０３ｂを固定する。この状態で作業対象となるトレイ３０３よりも上側に位置するトレイ３０３を、作業対象となるトレイ３０３から離反する方向に回動させると、回動させたトレイ３０３がアーム６０３ｂによって支持される。作業終了後は回動させたトレイ３０３を元の位置に戻し、トレイ支持金具６０３を連結板６０１の底面に収容する。
【００３９】
カバー１０３は、ベース板３１０およびベース板３１０に設けられたトレイ３０３を覆うように設けられている。図７は、この発明にかかる実施の形態１の光ケーブルクロージャー１００を示す説明図である。図７では、図１におけるＡ−Ａ’線でカバー１０３を断面した状態の光ケーブルクロージャー１００を、図１における矢印Ｂ方向から見た状態を示している。図７において、カバー１０３は、ベース板３１０全体を覆うことによって、ベース板３１０に設けられたトレイ３０３およびトレイ３０３に設けられた接続部を保護する。
【００４０】
カバー１０３は、光ケーブル１０１の長手方向（図１および図２において矢印Ｓ方向）に沿って伸縮可能な状態で設けられている。カバー１０３は、たとえば光ケーブル１０１の長手方向に沿って凹凸が連続するように設けられた蛇腹構造を有しており、この蛇腹構造によって光ケーブル１０１の長手方向に沿って伸長したり収縮したりする。
【００４１】
この実施の形態１において、カバー１０３は、カバー１０３を形成する材料が有する弾性力によって伸縮する。これによって、カバー１０３は、たとえば作業者などがカバー１０３を伸長させた際に、ベース板３１０とカバー１０３との間に光ケーブル心線３０５が挟まっても、蛇腹構造を収縮させることで、挟まった光ケーブル心線３０５に傷をつけることなく何度でも繰り返して収納作業を容易におこなうことができる。
【００４２】
このように、光ケーブル心線３０５を容易にカバー１０３内に収納できるだけでなく、従来技術における課題であった、光ケーブル心線３０５が挟まった状態のままでカバー１０３を閉じてしまうことを確実に回避することができる。そして、光ケーブル心線３０５の挟み込みを回避することによって、光ケーブル心線３０５における光信号の伝播に支障をきたす（疎通障害が発生する）ことを防止することができる。
【００４３】
伸長した状態のカバー１０３は、ベース板３１０とともに収納空間７０１を形成する。これによって、カバー１０３が外部に対して密閉された収納空間７０１を形成する。カバー１０３は、収納空間７０１の形成時において、たとえばネジなどを介してベース板３１０に固定されている。この場合にカバー１０３は、たとえばベース板３１０に触れる部分、すなわちカバー１０３を形成する部材の端部に設けられた貫通孔に挿入したネジを、ベース板３１０に設けられたネジ孔に螺合することによってベース板３１０に固定することが可能である。
【００４４】
また、カバー１０３は、防水性試験を実施するなどして、内部の防水性（密閉性）が所定の保護等級以上確保されるように収納空間７０１を形成する。上述したように、ネジなどを介してベース板３１０にカバー１０３を固定する場合は、図示を省略するネジ、貫通孔、ネジ孔など収納空間７０１の密閉性を損なう可能性のある箇所にパッキンを介在させる。これによって、所定の保護等級以上の密閉性が確保された収納空間７０１を形成することができる。
【００４５】
カバー１０３は、カバー１０３自体を収縮させることによって、上記収納空間７０１を開放することができる。カバー１０３は、収納空間７０１を開放することによって、光ケーブル把持金具３０１、テンションメンバ把持金具３０２、およびトレイ３０３などを外部に露出させることができる。これによって、たとえばトレイ３０３に収納された接続部に対する各種作業が可能となる。
【００４６】
このように、実施の形態１の光ケーブルクロージャー１００は、カバー１０３を伸縮させるという容易な操作だけで、収納空間７０１内に接続部を収納したり、接続部に対する作業などのために接続部を開放したりすることができ、これによって作業効率を飛躍的に向上させることができる。
【００４７】
カバー１０３は、光ケーブル１０１の長手方向における一端部側で、ベース板３１０に連結されている。そしてカバー１０３は、たとえばカバー１０３とベース板３１０との間に設けられた連結部によって、ベース板３１０に連結することが可能である。この場合、連結部は、カバー１０３において、カバー１０３の伸縮方向（光ケーブル１０１の長手方向）の一端側をベース板３１０に連結する。連結部は、カバー１０３とベース板３１０とによって形成される収納空間７０１が密閉されるように、カバー１０３とベース板３１０とを連結する。このためカバー１０３は、連結部を基点として伸縮することになる。
【００４８】
すなわち、カバー１０３は、連結部が設けられた側の位置を固定した状態で、カバー１０３の伸縮方向において連結部とは反対側となる端部を変位させることによって伸縮する。カバー１０３は、具体的には、たとえばアコーディオンカーテンのようにカバー１０３を収縮させて、連結部側に寄せた状態とすることによって、収納空間７０１を外部に開放する。このように、作業者はカバー１０３の片側のみを把持して光ケーブル１０１の長手方向に移動させることによって、カバー１０３の収縮・伸張作業を容易におこなうことができる。
【００４９】
なお、カバー１０３は、連結部による連結を解除することによって、ベース板３１０から完全に取り外すことも可能である。連結部については、公知の各種の技術を用いて実現可能であり、ここでは図示および説明を省略する。
【００５０】
また、カバー１０３は、たとえば光ケーブル１０１および光ケーブル心線３０５よりも柔軟性の高い材料によって形成するようにしてもよい。カバー１０３は、光ケーブル１０１または光ケーブル心線３０５のうち、柔軟性の高い方よりも高い柔軟性を有する材料によって形成されている。柔軟性は、たとえば光ケーブル１０１や光ケーブル心線３０５を形成する材料が有する柔軟性である。
【００５１】
柔軟性については、たとえば光ケーブル１０１や光ケーブル心線３０５に対して、光ケーブル１０１や光ケーブル心線３０５を押しつぶすような外力を加えた場合に、光ケーブル１０１や光ケーブル心線３０５が変形するまでに要する力によって判断することも可能である。この場合、柔軟性は、光ケーブル１０１や光ケーブル心線３０５を形成する材料が有する柔軟性に加えて、光ケーブル１０１や光ケーブル心線３０５の直径によってもその値が左右される。
【００５２】
カバー１０３は、たとえばベース板３１０とカバー１０３との間に光ケーブル心線３０５が挟まった状態でも、光ケーブル心線３０５における光信号の伝播に支障をきたす（疎通障害が発生する）ことのない弾性を有する材料によって形成されている。これにより、ベース板３１０とカバー１０３との間に光ケーブル心線３０５が挟まった場合にも、疎通障害が発生することを防止することができる。
【００５３】
カバー１０３は、具体的には、たとえばベース板３１０とカバー１０３との間に光ケーブル心線３０５が挟まった状態で収納空間７０１を形成した場合に、光ケーブル心線３０５に影響をあたえることなく、密閉された収納空間７０１を形成するように変形することが可能な程度の弾性を有する材料によって形成されることが望ましい。カバー１０３を形成する材料としては、具体的には、たとえば耐候性、すなわち耐熱性、耐油性、耐薬品性などに優れた材質の一つであるフッ素ゴムなどが好ましい。なお、カバー１０３を形成する材料としては、フッ素ゴムに限定するものではない。
【００５４】
また、カバー１０３は、ベース板３１０とカバー１０３との間に挟まった光ケーブル心線３０５が取り除かれた場合に、ベース板３１０とカバー１０３とによって、上記所定の保護等級以上の防水性（密閉性）が確保され収納空間７０１を形成するように、元の形状への復帰が可能な程度の弾性を有する材料によって形成されていてもよい。
【００５５】
カバー１０３は、たとえば光ケーブル１０１および光ケーブル心線３０５と同等の柔軟性あるいはこれよりも柔軟性の低い材料によって形成することも可能である。この場合、カバー１０３の伸縮方向の端部に、上述したような光ケーブル１０１および光ケーブル心線３０５よりも柔軟性の高い材料によって形成されたパッキンなどを設けるとよい。これによって、ベース板３１０とカバー１０３との間に光ケーブル心線３０５が挟まっても、疎通障害が発生することを防止することができる。
【００５６】
また、カバー１０３は、カバー１０３の周囲の温度を最低温度から最高温度へ変動させ、その後さらに最高温度から最低温度に変動させることで１サイクルとするヒートサイクルを、所定回数以上繰り返した結果異常がないことを確認した材料によって形成されることが望ましい。これによって、電線に張架した場合にも良好な耐候性を示し、カバー１０３の劣化による光ケーブルクロージャー１００の性能低下を防止することができる。
【００５７】
図８は、光ケーブルクロージャー１００の断面を示す説明図であり、図１のＣ−Ｃ’断面の一部、すなわち図１のＣ−Ｃ’断面のうち、図１において左側に位置する光ケーブル把持金具３０１近傍を示している。図８において、カバー１０３の内側には内壁８０１が設けられている。内壁８０１は、外部に臨む外壁８０２よりも接続部側（収納空間７０１の内側）に設けられている。上記の収納空間７０１は、内壁８０１とベース板３１０とによって囲まれる空間である。
【００５８】
内壁８０１と外壁８０２との間には、空気層部８０３が形成されている。空気層部８０３は、収納空間７０１の外側を覆うように設けられており、空気を充填した状態で密閉されている。空気層部８０３は、充填された空気の圧力によって、カバー１０３の形状を一定形状に維持する。空気層部８０３は、具体的には、たとえば自動車などのタイヤあるいは自転車のタイヤのチューブのような機能を果たす。
【００５９】
カバー１０３は、空気層部８０３によってカバー１０３の形状を一定形状に維持する。すなわち、カバー１０３は、内壁８０１と外壁８０２との間に充填された空気の圧力によって一定形状に維持することができる。これによって、柔軟性の高い材料によってカバー１０３を形成した場合であっても、カバー１０３の形状を一定形状に維持することができ、カバー１０３の外部から衝撃が加えられた場合にも、収納空間７０１の内部に設けられた各部を確実に保護することができる。
【００６０】
さらにカバー１０３は、空気層部８０３によって収納空間７０１を囲むことによって、カバー１０３の外部から加えられた衝撃を空気層部８０３によって緩衝し、この衝撃が収納空間７０１の内部に伝達することを防止する。これによって、カバー１０３は、収納空間７０１の内部に設けられた各部を、収納空間７０１の外部からの衝撃などから確実に保護することができる。
【００６１】
このため、カバー１０３には空気層部８０３に充填された空気の排出および空気層部８０３への空気の充填を可能とする通気口８０４が設けられている。そして図示を省略する空気ポンプ装置などを用いて、通気口８０４から空気層部８０３へ空気を注入し、空気層部８０３を所定の圧力とする。その後、上述した密閉栓１０６によって通気口８０４を密閉する。密閉栓１０６は、この通気口８０４を開放自在に閉塞するように設けられている。空気層部８０３は、密閉栓１０６によって通気口８０４を閉塞している場合に形成される。密閉栓１０６は、具体的には、たとえばカバー１０３とは別体で設けられて、カバー１０３から取り外し可能な状態で通気口８０４を閉塞する。
【００６２】
また、密閉栓１０６は、具体的には、たとえばカバー１０３に一体に設けられた逆止弁であってもよい。密閉栓１０６を逆止弁とする場合、逆止弁は空気層部８０３への空気の流入を許容し、空気層部８０３からの空気の流出を防止する向きに配設する。また密閉栓１０６を逆止弁とする場合、空気層部８０３に充填された空気を排出する際は、ドライバや専用の工具などを用いて逆止弁を開放する。密閉栓１０６を実現する逆止弁は、公知の各種の技術を用いて実現可能であり、その図示および説明は省略する。
【００６３】
図９および図１０は、光ケーブルクロージャー１００の取り付け状態を示す説明図である。図９においては、カバー１０３を伸長させて空気層部８０３を形成した状態の光ケーブルクロージャー１００を示している。図９において、光ケーブルクロージャー１００は、たとえば電柱９０１間に架け渡された電線（メッセンジャワイヤー１０５）に取り付けられる。光ケーブルクロージャー１００は、具体的には、たとえば電柱９０１の近傍においてメッセンジャワイヤー１０５に取り付けられる。
【００６４】
また図１０においては、カバー１０３を収縮させて接続部を開放した状態の光ケーブルクロージャー１００を示している。図１０に示したように、光ケーブルクロージャー１００が備える各部（接続部など）に対する作業は、光ケーブルクロージャー１００がメッセンジャワイヤー１０５に張架された状態においておこなう。
【００６５】
光ケーブルクロージャー１００に対する作業をおこなう高所では、高所作業車（リフト車）などが用いられる。このため、光ケーブルクロージャー１００に対する作業は、たとえば広い足場を確保できず、限られた狭い足場でおこなうことが想定される。このようなことから、作業に際して分解されて、光ケーブルクロージャー１００から分離される部品が発生しても、その部品の置き場所を確保することが難しい。
【００６６】
また、光ケーブルクロージャー１００に対する作業は、たとえば高所作業車（リフト車）および搭乗する作業車に対して強風が吹き付けるなどして、作業がしづらい状態でおこなわれることも多い。このように、光ケーブルクロージャー１００に対する作業は、作業の間、良好な作業環境を維持することが困難である。特に、台風の接近や通過にともなう強風時などのような荒天候下で作業を強いられる場合、作業者の注意が足場の確保など安全に対しても分散することも考えられ、作業はできる限り効率よくおこなえることが望ましい。
【００６７】
この実施の形態１によれば、カバー１０３を伸縮させる作業だけで、接続部を開放したり、接続部を収納空間７０１内に収納したりすることができる。これによって、光ケーブルクロージャー１００に対する作業のうち、接続部の開放や収納作業にかかる負担を軽減することができる。また、接続部の開放や収納作業にかかる負担を軽減することによって、不安定な足場での作業を効率よくおこなうことができ、これによって光ケーブルクロージャー１００に対する作業にかかる負担を軽減することができる。
【００６８】
また、この実施の形態１によれば、カバー１０３の一端側がベース板３１０に連結されているので、接続部を開放した場合にも、カバー１０３がベース板３１０から外れてしまうことがない。これによって、接続部を開放した状態におけるカバー１０３の置き場所を確保する必要がないので、限られた狭い足場を有効に活用することができ、作業環境および作業性の向上を図ることができる。これによって、限られた足場を有効に活用して作業をおこなうことができ、作業者の安全性を確保することができる。
【００６９】
さらに、カバー１０３の一端側がベース板３１０に連結されているので、カバー１０３の落下による破損や紛失を防止することができる。
【００７０】
上述したように、この実施の形態１の光ケーブルクロージャー１００によれば、カバー１０３を伸縮可能な蛇腹構造とすることにより、ベース板３１０とカバー１０３との間に光ケーブル心線３０５が挟まっても、蛇腹構造を収縮させて光ケーブル心線３０５を回避することができる。これによって、ベース板３１０とカバー１０３との間に光ケーブル心線３０５を挟み込むことによる光ケーブル心線３０５の変形や損傷を防止し、光ケーブル心線３０５の変形あるいは損傷に起因する通信回線の疎通障害の発生を防止することができる。
【００７１】
また、この実施の形態１の光ケーブルクロージャー１００によれば、カバー１０３を伸縮させるだけで、収納空間７０１内に接続部を収納したり、作業などのために接続部を開放したりすることができる。これによって、光ケーブルクロージャー１００あるいは当該光ケーブルクロージャー１００に収納された各部に対する作業にかかる、作業者の負担軽減を図り、作業性の向上を図ることができる。
【００７２】
また、この実施の形態１の光ケーブルクロージャー１００によれば、空気層部８０３を備えることにより、通信回線の疎通障害の発生を防止するために光ケーブルよりも柔軟性の高い材料によってカバー１０３を形成した場合にも、カバー１０３部の形状を一定に維持することができる。これによって、カバー１０３部の外部から加えられる外圧に抗して、収納空間７０１内に収納された接続部を保護することができる。
【００７３】
また、この実施の形態１の光ケーブルクロージャー１００によれば、通気口８０４と密閉栓１０６とを備えているため、空気層部８０３における空気の充填の程度を適宜調整することができる。これによって、カバー１０３部材の強度（剛性）を容易に調整することができる。
【００７４】
そして、この実施の形態１の光ケーブルクロージャー１００によれば、具体的には、たとえば光ケーブルクロージャー１００に対する作業中には空気の充填度を低くしてカバー１０３に柔軟性を持たせることで、カバー１０３が作業の支障になることを防止することができる。また、この実施の形態１の光ケーブルクロージャー１００によれば、具体的には、たとえば光ケーブルクロージャー１００に対する作業完了時に空気の充填度を高くすることで、非作業時など管理者の目が届かない状態においても収納空間７０１内に収納された接続部を確実に保護することができる。
【００７５】
また、この実施の形態１の光ケーブルクロージャー１００によれば、連結部を介してカバー１０３とベース板３１０とが連結されているため、カバー１０３を収縮させた際には、カバー１０３を連結部側に寄せておくことができる。これによって、光ケーブルクロージャー１００に対する作業に際して、カバー１０３が作業の支障になることを防止することができ、作業性の向上を図ることができる。
【００７６】
また、この実施の形態１の光ケーブルクロージャー１００によれば、カバー１０３が連結部を基点として伸縮することにより、ベース板３１０からカバー１０３を完全に取り外すことなく、光ケーブルクロージャー１００に対する作業をおこなうことができる。これによって、作業性のより一層の向上を図ることができる。
【００７７】
上述した実施の形態１において、カバー１０３を形成する材料が有する弾性力によって伸縮するカバー１０３について説明したが、カバー１０３は、カバー１０３を形成する材料が有する弾性力によって伸縮するものに限らない。カバー１０３は、たとえば光ケーブル１０１の長手方向に沿ってスライド可能に設けられた複数の板状部材を蝶番によって連結し、蝶番を開閉することによって伸縮可能とする構成であってもよい。
【００７８】
また、カバー１０３は、接続部に対する作業をおこなう作業者の手作業のみによって伸縮するものに限らない。カバー１０３は、具体的には、たとえば上記のように蝶番の開閉によって伸縮する構造を有する場合、各蝶番にモータなどを取り付け、各モータを駆動することによって蝶番の開閉度を調整することによって伸縮させてもよい。カバー１０３部を、このような構成とした場合にも、上述した各種の効果を奏する光ケーブルクロージャー１００を得ることができる。
【００７９】
（実施の形態２）
つぎに、この発明の実施の形態２にかかる光ケーブルクロージャーについて説明する。実施の形態１との違いは、カバーの凹凸の連続するように設けられた蛇腹構造の方向が異なることである。すなわち、実施の形態１では、光ケーブル１０１の長手方向に沿って凹凸が連続していることを特徴としたのに対して、実施の形態２では、光ケーブル１０１の長手方向と直行する方向に沿って凹凸が連続していることを特徴としている。なお、実施の形態２においては、上述した実施の形態１と同一部分は同一符号で示し、説明を省略する。
【００８０】
図１１および図１２は、この発明にかかる実施の形態２の光ケーブルクロージャーの外観を示す説明図である。図１１は光ケーブルクロージャー１１００を上方から見た状態（上面図）を、図１２は光ケーブルクロージャー１１００を側方から見た状態（側面図）をそれぞれ示している。
【００８１】
図１１において、光ケーブルクロージャー１１００は、保持部としてのベース板３１０、および、カバー部としてのカバー１１０１を備えている。また図１２において、光ケーブルクロージャー１１００は、吊り金具１０４を介して、メッセンジャワイヤー（吊線）１０５に取り付けられている。
【００８２】
カバー１１０１は、光ケーブル１０１の長手方向に直交する方向に沿って伸縮可能に設けられている。カバー１１０１は、たとえば光ケーブル１０１の長手方向に直交する方向に沿って凹凸が連続するように設けられた蛇腹構造を有しており、この蛇腹構造によって光ケーブル１０１の長手方向に直交する方向に沿って伸縮可能とする。この実施の形態２において、カバー１１０１は、カバー１１０１を形成する材料が有する弾性力によって伸縮する。
【００８３】
カバー１１０１は、光ケーブル１０１の長手方向に直交する方向に伸縮するものに限らず、その他、光ケーブル１０１の長手方向に交差する方向に伸縮するものであってもよい。また、カバー１１０１は、カバー１１０１を形成する材料が有する弾性力によって伸縮するものに限らず、たとえば上述したように蝶番の開閉によって伸縮するものであってもよい。
【００８４】
図１３は、この発明にかかる実施の形態２の光ケーブルクロージャー１１００の外観を示す説明図である。図１３は、光ケーブルクロージャー１１００を下方から見た状態（下面図）、すなわち図１１とは反対側から光ケーブルクロージャー１１００を見た状態を示している。図１３に示したように、カバー１１０１は、伸長した状態において、ベース板３１０に対して位置が固定される。
【００８５】
カバー１１０１は、具体的には、たとえばベース板３１０に固定された固定用部材（図１４における符号１４０４を参照）に螺合されるネジ１３０１によって、ベース板３１０に対して位置が固定される。カバー１１０１は、伸縮方向における両端部に設けられた貫通孔（図示を省略する）に挿入されたネジ１３０１を、固定用部材に螺合することよってベース板３１０に対して位置が固定される。
【００８６】
図１４、この発明にかかる実施の形態２の光ケーブルクロージャー１１００を示す説明図である。図１４は、を図１１におけるＤ−Ｄ’線でカバー１１０１を断面した状態の光ケーブルクロージャー１１００を、図１１における矢印Ｅ方向から見た状態を示している。図１４に示したように、カバー１１０１は、伸長した状態においてベース板３１０全体を覆い、収納空間１４０１を形成する。
【００８７】
カバー１１０１の内面には、内壁１４０２が設けられている。内壁１４０２は、接続部と外部との間に空気層部１４０３を形成する。収納空間１４０１は、空気層部１４０３によって、収納空間１４０１内に収納した接続部などを、外部の衝撃から保護する機能を実現する。
【００８８】
ベース板３１０には、固定用部材１４０４が取り付けられている。カバー１１０１は、伸縮方向の両端部が固定用部材１４０４に固定されている場合に、収納空間１４０１を形成する。すなわち、カバー１１０１は、伸長した状態において収納空間１４０１を形成する。収納空間１４０１は、ベース板３１０に設けられたトレイ３０３およびトレイ３０３設けられた接続部を保護する。
【００８９】
カバー１１０１は、ベース板３１０に対して脱離可能に取り付けられている。カバー１１０１は、たとえば固定用部材１４０４に螺合されたネジ１３０１を固定用部材１４０４から取り外すことによって、ベース板３１０から取り外すことが可能である。また、カバー１１０１は、伸縮方向における一端部側のネジ１３０１を取り外し、伸縮方向における他端側のネジ１３０１を固定用部材１４０４に螺合した状態で、他端側を基点として伸縮することが可能である。これにより、ベース板３１０からカバー１１０１を完全に取り外すことなく、光ケーブルクロージャー１１００に対する作業をおこなうことができる。これによって、作業性のより一層の向上を図ることができる。
【００９０】
カバー１１０１は、収縮した状態において、収納空間１４０１を外部に開放する。収納空間１４０１は、カバー１１０１が光ケーブル１０１の長手方向に直交する方向に収縮した状態において開放される。これによって、光ケーブル把持金具３０１、テンションメンバ把持金具３０２、およびトレイ３０３などが、外部に開放される。この実施の形態２の光ケーブルクロージャー１１００は、カバー１１０１を伸縮させるだけで、カバー１１０１を作業者の手前側あるいは奥側に寄せた状態で作業をおこなうことができる。
【００９１】
カバー１１０１は、たとえば作業者などが光ケーブル心線３０５をカバー１１０１の内側に巻き込むようにしてカバー１１０１を伸張して、ねじ止めすれば、光ケーブル心線３０５を挟むことなく、容易に光ケーブル心線３０５全体を収納空間１４０１内に収納することができる。カバー１１０１は、たとえば巻き寿司を作るときに巻き簀で寿司飯を巻くようにして光ケーブル１０１などを巻き込みながら伸張して、その後ねじ止めする。
【００９２】
上述したように、この実施の形態２の光ケーブルクロージャー１１００によれば、カバー１１０１を伸縮可能な蛇腹構造とすることにより、ベース板３１０とカバー１１０１との間に光ケーブル心線３０５が挟まっても、蛇腹構造を収縮させて光ケーブル心線３０５を回避することができる。これによって、ベース板３１０とカバー１１０１との間に光ケーブル心線３０５を挟み込むことによる光ケーブル心線３０５の変形や損傷を防止し、光ケーブル心線３０５の変形あるいは損傷に起因する通信回線の疎通障害の発生を防止することができる。
【００９３】
また、この実施の形態２の光ケーブルクロージャー１１００によれば、カバー１１０１を伸縮させるだけで、収納空間１４０１内に接続部を収納したり、作業などのために接続部を開放したりすることができる。これによって、光ケーブルクロージャー１１００あるいは当該光ケーブルクロージャー１１００に収納された各部に対する作業にかかる、作業者の負担軽減を図り、作業性の向上を図ることができる。
【００９４】
以上説明したように、この発明にかかる実施の形態１、２の光ケーブルクロージャー１００、１１００によれば、ベース板３１０とカバー１０３、１１０１との間に光ケーブル心線３０５を挟み込むことによる光ケーブル心線３０５の変形あるいは損傷を防止し、光ケーブル心線の変形あるいは損傷に起因する通信回線の疎通障害の発生を防止することができる。
【産業上の利用可能性】
【００９５】
以上のように、この発明にかかる光ケーブルクロージャーは、光ケーブルを収納する光ケーブルクロージャーに有用であり、特に、電柱の間などに張架される光ケーブルの接続部を収納する光ケーブルクロージャーに適している。
【図面の簡単な説明】
【００９６】
【図１】この発明にかかる実施の形態１の光ケーブルクロージャーの外観を示す説明図（その１）である。
【図２】この発明にかかる実施の形態１の光ケーブルクロージャーの外観を示す説明図（その２）である。
【図３】光ケーブルクロージャーの内部構造を示す説明図（その１）である。
【図４】光ケーブルクロージャーの内部構造を示す説明図（その２）である。
【図５】光ケーブル把持金具を示す説明図である。
【図６】トレイの構造の一例を示す説明図である。
【図７】この発明にかかる実施の形態１の光ケーブルクロージャーを示す説明図である。
【図８】光ケーブルクロージャーの断面を示す説明図である。
【図９】光ケーブルクロージャーの取り付け状態を示す説明図（その１）である。
【図１０】光ケーブルクロージャーの取り付け状態を示す説明図（その２）である。
【図１１】この発明にかかる実施の形態２の光ケーブルクロージャーの外観を示す説明図（その１）である。
【図１２】この発明にかかる実施の形態２の光ケーブルクロージャーの外観を示す説明図（その２）である。
【図１３】この発明にかかる実施の形態２の光ケーブルクロージャーの外観を示す説明図（その３）である。
【図１４】この発明にかかる実施の形態２の光ケーブルクロージャーを示す説明図である。
【符号の説明】
【００９７】
１００  光ケーブルクロージャー
１０１  光ケーブル
１０３  カバー
１０６  密閉栓
３０３  トレイ
３１０  ベース板
７０１  収納空間
８０３  空気層部
８０４  通気口
１１００  光ケーブルクロージャー
１１０１  カバー
１４０３  空気層部
【図１】
2009139689.tif 000003
【図２】
2009139689.tif 000004
【図３】
2009139689.tif 000005
【図４】
2009139689.tif 000006
【図５】
2009139689.tif 000007
【図６】
2009139689.tif 000008
【図７】
2009139689.tif 000009
【図８】
2009139689.tif 000010
【図９】
2009139689.tif 000011
【図１０】
2009139689.tif 000012
【図１１】
2009139689.tif 000013
【図１２】
2009139689.tif 000014
【図１３】
2009139689.tif 000015
【図１４】
2009139689.tif 000016